(57)【要約】    本発明はユーザが様々なオプションを散策できるようにするグラフィカル・ユーザ・インタフェース（ＧＵＩ）に関する。リビングルームに設置されるセットトップボックス（ＳＴＢ）などの装置においてユーザに提供されるアプリケーションやオプションが増えているなかで、これらのオプションを直感的に理解しやすく操作しやすい状態で提示することが重要となる。よって例えばテレビ画面などにおいて、現在ユーザの操作に直接関係するユーザオプションのみが選択可能な状態で提供される。ユーザはリモコンなどの比較的単純な入力装置を用いてこれらのオプションを散策することができる。他のオプションは休止状態とされ背景においてあまり目立たないように表示される。このような他のオプションは例えば入力装置における所定のボタンを操作することなどによってはっきり目立つように表示されることが可能であり、さらにこれらのオプションはアニメーションなどによって強調表示されることも可能である。本発明は特にデータ駆動アプリケーション環境などにおいて適用されうる。
2005515538.tif 000002
【特許請求の範囲】
【請求項１】
複数のユーザ制御可能オプションを表示すためのグラフィカル・ユーザ・インタフェースを有するデータ処理装置において、
２以上のサブメニューが提供され、
ユーザは前記サブメニューから特定のサブメニューを１つ選択でき、
前記選択の際、前記特定のサブメニューは目立つようにグラフィック表示され、他のサブメニューは目立たないようにグラフィック表示されることを特徴とするデータ処理装置。
【請求項２】
前記目立たないグラフィック表示は、
背景に対して前記他のサブメニューを前記特定のサブメニューに比べてより高い半透明度で表示する方法、
前記他のサブメニューをより低いコントラスト率で表示し、前記特定のサブメニューをより高いコントラスト率で表示する方法、
前記他のサブメニューをより小さく表示し、前記特定のサブメニューをより大きく表示する方法、又は
前記他のサブメニューをより概略的に表示し、前記特定のサブメニューをより詳細に表示する方法、のうちの少なくとも１つを適用することによって実現されることを特徴とする請求項１記載のデータ処理装置。
【請求項３】
前記目立たないグラフィック表示は、前記他のサブメニューを
背景モチーフ、又は
背景画像、のうちの少なくとも１つの一部として表示することによって実現されることを特徴とする請求項１記載のデータ処理装置。
【請求項４】
前記他のサブメニューは、絵図によってグラフィック表示されることを特徴とする請求項１記載のデータ処理装置。
【請求項５】
複数のユーザ制御可能オプションを表示すためのグラフィカル・ユーザ・インタフェースとユーザとのやり取りを可能にする方法において、
２以上のサブメニューが提供され、
ユーザは前記サブメニューから特定のサブメニューを１つ選択でき、
前記選択の際、前記特定のサブメニューは目立つようにグラフィック表示され、他のサブメニューは目立たないようにグラフィック表示されることを特徴とする方法。
【請求項６】
前記目立たないグラフィック表示は、
背景に対して前記他のサブメニューを前記特定のサブメニューに比べてより高い半透明度で表示する方法、
前記他のサブメニューをより低いコントラスト率で表示し、前記特定のサブメニューをより高いコントラスト率で表示する方法、
前記他のサブメニューをより小さく表示し、前記特定のサブメニューをより大きく表示する方法、又は
前記他のサブメニューをより概略的に表示し、前記特定のサブメニューをより詳細に表示する方法、のうちの少なくとも１つを適用することによって実現されることを特徴とする請求項５記載の方法。
【請求項７】
前記目立たないグラフィック表示は、前記他のサブメニューを
背景モチーフ、又は
背景画像、のうちの少なくとも１つの一部として表示することによって実現されることを特徴とする請求項５記載の方法。
【請求項８】
前記他のサブメニューは絵図によってグラフィック表示されることを特徴とする請求項５記載の方法。
【請求項９】
複数のユーザ制御可能オプションを表示すためのグラフィカル・ユーザ・インタフェースを表示するためのソフトウェアにおいて、
２以上のサブメニューが提供され、
ユーザは前記サブメニューから特定のサブメニューを１つ選択でき、
前記選択の際、前記特定のサブメニューは目立つようにグラフィック表示され、他のサブメニューは目立たないようにグラフィック表示されることを特徴とするソフトウェア。
【請求項１０】
前記目立たないグラフィック表示は、
背景に対して前記他のサブメニューを前記特定のサブメニューに比べてより高い半透明度で表示する方法、
前記他のサブメニューをより低いコントラスト率で表示し、前記特定のサブメニューをより高いコントラスト率で表示する方法、
前記他のサブメニューをより小さく表示し、前記特定のサブメニューをより大きく表示する方法、又は
前記他のサブメニューをより概略的に表示し、前記特定のサブメニューをより詳細に表示する方法、のうちの少なくとも１つを適用することによって実現されることを特徴とする請求項９記載のソフトウェア。
【請求項１１】
前記目立たないグラフィック表示は、前記他のサブメニューを
背景モチーフ、又は
背景画像、のうちの少なくとも１つの一部として表示することによって実現されることを特徴とする請求項９記載のソフトウェア。
【請求項１２】
前記他のサブメニューは絵図によってグラフィック表示されることを特徴とする請求項９記載のソフトウェア。
【発明の詳細な説明】
【技術分野】
【０００１】
本発明はセットトップボックス（ＳＴＢ）やパソコン（ＰＣ）などに適用されるグラフィカル・ユーザ・インタフェース（ＧＵＩ）に関し、特に２．５Ｄ及び３Ｄ立体効果を用いてユーザ選択可能オプションを提示し選択させる方法に関する。
【背景技術】
【０００２】
ＳＴＢの技術では世代が更新されるたびにより多くのソフトウェア（ＳＷ）が利用可能となり、より多くのユーザ選択オプションが提供されるようになっている。ユーザはフォーカス・ボタンやリモコン（ＲＣ）などを用いて例えば強調表示を動かしてオプションを選択することができる。しかしオプションの数が増えるにつれてユーザは全体概要を見失い始める。この問題は装置を追加し又は切断することが可能でこれに応じてＧＵＩが変化するようなオープンネットワーク環境などではさらに悪化する。
【発明の開示】
【課題を解決するための手段】
【０００３】
本発明は増大するユーザオプションに対処しつつ、ユーザにとってのこれらのオプションの制御を容易なものに保つことが可能なＧＵＩに関する。
【０００４】
本発明は、ユーザにとって直感的に理解可能なＧＵＩであって、容易に選択できるオプションを提供し、また拡張機能が提供される間もユーザにオプションの全体概要を認識させ続けることが可能なＧＵＩを提案する。
【０００５】
ネットワーク接続された装置間の交信は主にネットワーク内のＳＴＢなどの各装置に委ねられる。このようなネットワークシステムは、個々の装置よりもユーザに感知されるコンテンツに重点を置く。すなわちこのようなネットワークシステムは装置中心ではなくコンテンツ中心に動作する。ネットワーク環境では、ネットワーク上の様々なリソースによって提供されるコンテンツ情報の記述データを収集することは有効である。こうしてこのようなデータを１つのメニューにまとめることによって、ユーザはデータのリソースに関係なくコンテンツを選択することが可能になる。
【０００６】
本発明によるＧＵＩ設計はこのようなデータ管理システムへの適用に非常に効果的である。このようなデータ管理システムの一例として、ここで参照によりすべての内容が挿入される米国特許出願整理番号０９／５６８９３２（代理人整理番号ＵＳ０００１０６）に記載されものがある。
【０００７】
また最近ではコンテンツのパーソナル化及びこのコンテンツのフィルタリングが普及し始めている。そこで本発明が提案するＧＵＩはこのようなコンテンツ駆動アプリケーションを考慮して開発されている。
【０００８】
本発明によるＧＵＩ設計及びアプローチによると、例えばネットワークに新たに接続された装置のＧＵＩ表示などといった新たな要素をＧＵＩに簡単に追加することが可能である。装置の接続／切断を可能とするネットワークにおけるソフトウェアプロトコルの例としてはＨＡＶＩ、やＵＰｎＰ、Ｊｉｎｉなどがある。また、データ駆動アプリケーションの方法及び規定は1以上の装置に適用されることが可能である。例えばユーザが自分のホームエンターテインメント・システムで特定の音楽を再生することを希望する場合、このユーザは大概この音楽がどの装置からくるかについては無関心である。したがってここでの再生機能のグラフィック表示は例えばＭＰ３プレーヤやＣＤプレーヤなど再生機能表示と同様のものであってよい。
【０００９】
以下に、バーチャル・オーディオ・ジュークボックス・アプリケーションにおけるＧＵＩを例にとって本発明をより詳細に説明する。なお、ここで「バーチャル」という表現を用いるのは、ユーザにとってはこのアプリケーションによって提供される音楽がすべて単一のオーディオ・ジュークボックスからくるかのようにみえることからである。実際にはこれらの音楽は例えばＣＤプレーヤやＭＰ３プレーヤなど物理的にはそれぞれ異なる装置に収容されていることが可能である。そしてこのようなプレーヤは（デジタル）ネットワーク・ホーム・システムの一部を構成することが可能である。このアプリケーションは容易に拡張可能であり、様々な形式のデジタルコンテンツ（例えば映画など）を含むように設定されることが可能である。またこのようなアプリケーションのＧＵＩは、ユーザが例えばＣＤプレーヤなどの実体オブジェクトとやり取りする際、このユーザにフィードバックを提供することができる。ここではＧＵＩにおいて実体であるＣＤプレーヤという具体概念とデジタル情報（この例ではデジタル音声）という抽象概念とが統合される。そして一般的なメタファー（この例では積まれたＣＤの絵が用いられる）を用いることにより、操作が簡略化され、メディア（この例では音楽）と、アプリケーションと、ユーザとの関係が構築される。なお、コンテンツ及び制御は他のソースからくることも可能である。また、このようなネットワーク・ホーム・システムは典型的にはある程度接続されている装置を認知している。
【００１０】
典型的なテレビ画面とはビジュアルユーザ情報を提供する装置として知られる。本発明の原理を説明するために例示されるＧＵＩスクリーンショットはテレビ画面への適用を想定したＧＵＩである。しかし本発明は、例えばウェブパッドや手持ちデバイスなど他のスクリーン画面へ適用されることも可能ある。ユーザは通常テレビ画面から７〜１０フィート（２〜３ｍ）離れているため、テレビ画面におけるＧＵＩオブジェクトはコンピュータ画面におけるＧＵＩオブジェクトよりも大きくする必要がある。したがってテレビ画面のＧＵＩが有する有効スペースは限られていて、より厚層のナビゲーション構成が必要となる。よってこの例におけるＧＵＩはユーザが現在携わっている特定のタスクに関連するツールだけを顕著に画面上に表示するように設計される。ユーザはこのアプリケーションを4方向リモコン（4方向のボタンと選択を承認するためのＯＫボタンを有するもの）及び場合によってはテキストを入力するための入力装置（例えば実体又はバーチャル・キーボードなど）を用いて制御することができる。これに対してコンピュータ環境では通常、本格的なキーボード及びマウスなどをユーザ制御手段として適用する。しかし本発明は上記制御手段に限定されることはなく、例えばＧＵＩカーソルが設けられたジョイスティックや、発話など様々な制御手段を適用することが可能である。
【００１１】
また本発明の一仕様は、現在ユーザにとって重要であり、フォーカスを有すべきユーザオプションに対するグラフィック強調技術の適用に係る。
【００１２】
ここでフォーカスを有するユーザオプションとは、現在ユーザに注目されるべきオプションを意味する。例えばユーザが１０曲のリストの中から1曲を選択しなければならない場合、これら１０曲がフォーカスを有し、これらにグラフィック強調技術が適用される。例えば、フォーカスを有するオプションのコントラストを高くするか、オブジェクト・サイズを大きくするか、彩度を高くするか、付加的な情報（例えばテキスト情報）を提供するか、又はこれら1以上の組み合わせなどによってこれは実現されうる。また、２．５Ｄや３Ｄ効果などを適用することも可能であり、例えば現在重要視されるオプションを背景から飛び出しているかのように見せかけ、ユーザに接近している印象を与えることが可能である。
【００１３】
ある時点においてフォーカスを有するいくつかのユーザオプションは通常特定種類のオプションである。例えばこれらフォーカスを有するオプションはすべて音声の再生に関するオプション（再生、早送り、録音、停止、巻き戻しなど）であったり、選曲リストにおける選択可能な曲のオプションであったりする。なお、場合によっては一時に1種類以上のユーザオプションがフォーカスを有することも可能である。
【００１４】
ＧＵＩ上に提供される数多くのオプションやボタンなどに対処するまた別の方法として、例えばサブメニューなどにおいてユーザが所望の機能を選択するときことこれらオプションやボタンを拡大表示する方法がある。ここでサブメニューとは1又は複数のユーザ選択可能なこのサブメニューが複数の選択可能オプションを有する場合、これらオプションは通常共通する種類であるか又は特定の理由に基づいてまとめられる。このようにＧＵＩにおいてオプションやボタンを拡大する方法は例えばここで参照により全ての内容が挿入される米国特許出願整理番号０９／０６２，３６４（代理人整理番号ＰＨＡ２３，３８７）に記載される。
【００１５】
さらに本発明のまた別の仕様においては、現在ユーザにとって無関係であるユーザオプションをＧＵＩにおいて控えめで目立たないように表示する。例えばこれらフォーカスを有さないオプションのコントラストを低下させ、オブジェクト・サイズを縮小し、あるいは提供する情報を限定（例えばテキストによる詳細情報を削減するかテキスト抜きにするなど）するなどしてこれは実現されうる。また、２．５Ｄや３Ｄ効果などのアニメーション技術を用いて、フォーカスを失ったオプションを動的効果によって目立たなくする（又はオプションを隠す）ことも可能である。アニメーションとは、一連のビットマップを表示することによって実現される動作のシミュレーションである。このようなアニメーションにより上記オプションの表示状態の変化はスムーズに表示され、ユーザが突然新たなレイアウトに直面することが避けられる。このようなアニメーション技術についての詳細は例えばここで参照によって内容がすべて挿入される米国特許出願整理番号０９／１２８，８３９（代理人整理番号ＰＨＡ２３，４６９）に記載される。例えばＧＵＩは反転可能なパネルを有することが可能であり、このパネルの一側面に表示されるオプションがフォーカスを失うと、このパネルは反対側面を表示するように反転されここに示される別のオプションがフォーカスを得るようになる。ここでフォーカスを失ったオプションは完全に見えなくなるかあるいはサイズの縮小や、コントラストの低減、背景に対する半透明化などによって半可視状態に示されることも可能である。また別の例として、フォーカスを失ったオプションは例えばアイコンなどの絵図によって表示されることが可能である。このようなアイコンはサブメニューのメタファー的な表示であってよい。さらなる別の例として、フォーカスを失ったオプションのグラフィック表示として背景画像又は背景モチーフを用いることも可能である。特に後者の例では、フォーカスを失ったユーザオプションの表示状態が目立つ表示状態から目立たない表示状態へ変化していく様子を示すのにアニメーションを用いることが可能である。また上記方法の組み合わせによってユーザオプションを目立たないように表示することも想定されうる。
【００１６】
また、本発明による更なる仕様においては、フォーカスを得たユーザオプションが背景から浮かび上がってきて、拡大されたり、コントラストが大きくされたり、あるいはテキスト情報などの詳細情報が付加されたりする。このようなオプションは既に目立たない状態でＧＵＩに表示されているため、ユーザはこれらのオプションの存在を認識している。またこのＧＵＩの更なる利点として、フォーカスを有するオプションは限られた画面領域を有効に活用することが可能である。よってこれらのオプションは効果的であり且つ使いやすく設定される。
【００１７】
逆にフォーカスを失ったオプションは前景から背景へ沈没し、例えば半透明状態に表示されるなどして目立たなくされる。このようにフォーカスを失ったオプションを背景において半可視状態に表示にしておくにより、ユーザにこれらのオプションが後段において利用可能であることを示すことが可能である。通常これらのオプションは直ぐにまた必要とされるものである。
【００１８】
メニューオプションは、例えば（サブ）メニューのヒエラルキーなどのネスト化メニューを構成するよう分配され設計される。ここではヒエラルキーにおける異なるレベルは異なるグラフィック表示形態を用いて表示されるため、ユーザの注目を最もフォーカスを有する（サブ）メニューに置きつつも、フォーカスがより低い前回のメニューレベル（及び場合によっては次回のメニューレベル）の存在をもユーザに認知させることが可能である。
【発明を実施するための最良の形態】
【００１９】
以下においては、添付の図面を参照しながら、本発明の実施例を説明する。
【００２０】
図１は本発明におけるユーザ入力装置として適用されうるリモコン（ＲＣ）１００の概略図を示す。ＲＣ１００は、例えばＣＤトラックを選択する場合などに数字を直接入力するための数字キーパッド１０２を有する。また、このＲＣ１００は、カーソル・コントロール・キーパッド１０４（上、下、左、右、のキーを含む）、及びＯＫボタン１０６を有する。キーパッド１０４を用いてユーザは例えばテレビ画面上のグラフィカル・ユーザ・インタフェース（ＧＵＩ）強調表示を散策し、所望のオプションを検出することができる。そして所望のオプションに到達した後ユーザはＯＫボタン１０６を押して同オプションの選択意志を示すことができる。さらに前のＧＵＩ画面及び／又はユーザオプション画面に戻るためにユーザは戻るボタン１０８を用いることができる。機能ボタン１１０は、例えば特定の機能を表示させるために用いられる。テレビ画面などにおけるＧＵＩの限られた表示画面領域から、常に全ての機能を表示することは大概不可能である。
【００２１】
また、ＲＣ１００のトランスポート制御１１２はユーザが音楽コレクションなどを楽しむ際に用いられる。
【００２２】
図２は場所感覚の強いいくつかの要素を有するＧＵＩスクリーンショット２００の概略図を示す。このスクリーンショット２００は、テキストフィードバック２０２、実体アンカー２０４、ジャンル２０６、オーナー２０８、パレットツール２１０、トランスポート表示２１２を有する。
【００２３】
このようなインタフェースでは表示空間が限られているため（というのはほとんど全てのコンテンツが１つの画面上に表示されなければならない）、ユーザは強い場所感覚とインタフェースにおける位置づけの認識を有する必要がある。よって、ＧＵＩスクリーンショット２００は２つの主要アンカー、すなわちテキストフィードバック２０２（アルバムセレクション：Ｍａｄｏｎｎａ：Ｒａｙ  ｏｆ  Ｌｉｇｈｔ）及び実体アンカー２０４をユーザに提供する。このＧＵＩは実体アンカー２０４を物理的な音楽コレクション（積み上げられたＣＤ）にたとえて示している。この集合からＣＤが選択されると、このＣＤのタイトル及びその他の関連情報がテキストフィードバック２０２として画面の左上の角に表示される。
【００２４】
このユーザインタフェースの更なる要素として音楽コレクションの所有者（オーナー）と音楽のジャンル又はカテゴリ（例えば、ロック、ジャズ、オペラなど）と間の関係の管理がある。音楽コレクションはオーナーなどによってグループ分けされることが可能で、ここで得られるビューはユーザによって容易且つ単独で制御可能にすることが重要である。なお、音楽コレクションは、オーナー２０８に示されるようにオーナーによって分けられることが可能であるが、ジャンルによって分けられることも可能である（ここで特注ジャンルを設定することも可能である）。音楽コレクションは様々な基準によって分類されることが可能であるが、本実施例では２つの分類が適用される。また、これら音楽コレクションの分類において重複が生じることも可能である。
【００２５】
本実施例ではオーナーとジャンルとの関係からパレットツール２１０は実際には２つの面を有する。よって例えばアニメーションなどを用いて一方の面から他方の面に反転する様子を表示するなどして、ユーザに対して２つの面の存在、すなわち上記オーナーとジャンルとの関係の存在の印象を強く与えることが可能である。この実施例においてユーザはこのパレットをオーナーパレット面からジャンルパレット面へ反転させることができる。
【００２６】
また、このユーザインタフェースにおける更なる要素としてトランスポート表示２１２（すなわち再生、一時停止、早送り、停止、巻き戻しなど）が常に表示される。このインタフェースは主にユーザが自分の音楽コレクションを楽しむための操作を容易にするために設けられるため、音楽を再生操作するための機能は常に提供されていることが重要である。
【００２７】
図３は、フォーカスを失った要素を有するＧＵＩスクリーンショット３００の概略図である。このスクリーンショット３００は、フォーカスを失ったパレットツール３１０、実体アンカー２０４、ジャンル２０６、オーナー２０８、非明示ツールボタン３０６、ユーザ選択オプション３０８、及びトランスポート表示２１２を有する。
【００２８】
ある時点においてフォーカスを失っている要素であってもＧＵＩ画面において重要な要素とされる場合がある。このような要素はまたユーザに必要とされフォーカス対象とされることもある。ところが画面表示領域が限られているため、このような要素の存在を何らかの技術によってユーザに認知させる必要がある。そこで本発明による一実施形態では例えば２．５Ｄや３Ｄアニメーションの適用、ＧＵＩ要素の移動、ＧＵＩ要素のサイズ変更、及び背景に応じたＧＵＩ要素のコントラスト変更などが提案される。本発明のまた別の実施形態では、ＧＵＩ要素をそのＧＵＩ画面背景と同化する技術が提案される。例えばＧＵＩ画面背景には非明示ツールボタン３０６が存在し、ユーザがこのツールを必要するまでこれは上記背景の一部として存在する。これら非明示ツールボタン３０６は例えば後にすぐ必要されることが予期されるために非明示状態で存在する。この技術は例えば複数層のサブメニューを有するヒエラルキーメニューなどにおいて適用される。そしてこのようなツールは例えば次のユーザ動作において用いられる可能性が大いにある。また別の実施形態として、ＧＵＩ２００のパレットツール２１０は画面３００においては対抗するコンテンツの存在により（ここではこのコンテンツが優勢であるため）選択可能状態として提示されない。したがってこのパレットツール２１０は画面３００ではサイズ変更されフォーカスを失ったパレットツール３１０として提示される。このサイズ変更により、パレットツール３１０のボタンはテキスト表示されなくなる。なお、ＧＵＩの利用可能リソースによっては、パレットツール２１０から非明示パレットツール３１０への移り変わりはアニメーション動作及び／又は動的サイズ変更アニメーションなどによって表示されうる。
【００２９】
図４は、コンテンツが再生されている際に表示されるＧＵＩスクリーンショット４００の概略図である。スクリーンショット４００はテキストフィードバック４０２、実体アンカー２０４、ジャンル２０６、オーナー２０８、フォーカスを失ったパレットツール３１０、ユーザ選択オプション４０４、及び動作中トランスポート表示４０６を有する。
【００３０】
スクリーンショット４００ではトランスポート表示４０６のなかの動作中機能に該当する要素（この例では再生機能）を強調表示することによりユーザに明確なフィードバックを提供する。このスクリーンショット４００におけるテキストフィードバック４０２及びユーザ選択オプション４０４はユーザにテキストフィードバックを提供する。また、スクリーンショット４００ではユーザ／オーナーの名前がオーナー２０８によって示される。
【００３１】
図５は反転するパレットツールを有するＧＵＩスクリーンショット５００の概略図である。このＧＵＩスクリーンショット５００はテキストフィードバック２０２、実体アンカー２０４、ジャンル２０６、オーナー５０８、パレットツール５１０、及びトランスポート表示２１２を有する。
【００３２】
スクリーンショット５００のパレットツール５１０は２つの側面／ビューを有する。ここではユーザに他の側面／ビューの存在を認知させることが重要である。スクリーンショット５００ではこれがパレットツール５１０を傾斜しているように見せることによって実現される。またユーザに他の側面／ビューの存在を示す別の例として、タブを用いる方法もある（非図示）。また、パレットツール５１０を１つのビューから他方のビューに変える際、例えばアニメーションなどによってパレットツールをスムーズに反転させることによってユーザに他のビューの存在を示すことが可能である。なお、パレットツールはさらに多くのビューを有することが可能である。
【００３３】
図６は機能メニューが強調表示されるＧＵＩスクリーンショット６００の概略図である。スクリーンショット６００は、オーナー６０８、フォーカスを失ったパレットツール３１０、実体アンカー２０４、ジャンル２０６、ツールボタン６０６、ユーザ選択オプション６１０、及びトランスポート表示２１２を有する。
【００３４】
スクリーンショット６００では、ツールボタン６０６のなかの「プレーリストに追加」ボタンがフォーカスされる。これは例えばユーザがリモコン１００の機能ボタン１１０を押すことなどによって実現されうる。スクリーンショット３００ではツールボタン３０６が明白に示されていなく画面背景の画像やパターンなどに同化されることさえ可能であるのに対して、スクリーンショット６００ではどのようなツールボタンが利用可能であるかが明白なフィードバックとしてユーザに提示される。また、ここでは例えばツールボタンのコントラストが大きくされうる。また、現在フォーカスされているボタンは強調表示され、ユーザはカーソル・コントロール・キーパッド１０４を用いてこれらのツールボタンをブラウジングすることが可能である。
【００３５】
図７はウェブストア機能及びここにおける更なるユーザオプションを示すＧＵＩスクリーンショット７００の概略図である。このスクリーンショット７００は、ショップアイテム欄７０２、同様ショップアイテム７０４、ウェブストア・ボタン７０６、及びウェブストア・サブメニュー７０８を有する。
【００３６】
スクリーンショット７００は、ユーザがツールボタン６０６上をブラウジングし、「ウェブストア」ボタンが強調表示されたときにＯＫボタン１０６を押した結果得られる画面に相当しうる。このスクリーンショット７００でのユーザのフォーカスはアイテム欄７０２に表示される商品であり、このなかからユーザは所望の商品を選択することが想定される。よってＧＩＵスクリーンショット７００は主に現在のユーザのフォーカスに関連する要素を表示するが、その他のユーザオプションも例えば画面背景に略同化した状態で示されることも可能である。
【図面の簡単な説明】
【００３７】
【図１】本発明における入力装置として適用されうるリモコンの概略図である。
【図２】場所感覚の強い要素をいくつか含むＧＵＩスクリーンショットの概略図である。
【図３】フォーカスを失った要素を含むＧＵＩスクリーンショットの概略図である。
【図４】コンテンツが再生されているときのＧＵＩスクリーンショットの概略図である。
【図５】反転するパレットツールを含むＧＵＩスクリーンショットの概略図である。
【図６】機能メニューが強調表示されているＧＵＩスクリーンショットの概略図である。
【図７】さらに深いレベルのユーザオプションを有するウェブストア機能のＧＵＩスクリーンショットの概略図である。
【図１】
2005515538.tif 000003
【図２】
2005515538.tif 000004
【図３】
2005515538.tif 000005
【図４】
2005515538.tif 000006
【図５】
2005515538.tif 000007
【図６】
2005515538.tif 000008
【図７】
2005515538.tif 000009
【国際調査報告】
2005515538.tif 000010
2005515538.tif 000011